(57)【要約】【課題】ローカルネットワークに接続された機器に対し、実際にアクセス可能な機器のＩＰアドレスをＷｅｂブラウザ画面におけるＵＲＬ入力欄に容易且つ確実に入力することができるＩＰアドレス入力方法を提供する。【解決手段】Ｗｅｂブラウザ画面にＵＲＬ入力欄を含むソフトウェアキーボードを表示する（Ｓ３）。一方、ポートスキャン等の検索ステップによりローカルネットワークに接続されている機器のＩＰアドレスを検索し、返答のあった機器のＩＰアドレスの一覧をソフトウェアキーボードにおいて表示する（Ｓ８）。表示されたＩＰアドレスの一覧から所望のＩＰアドレスを選択することにより（Ｓ９）、ＵＲＬ入力欄にＩＰアドレスが入力される（Ｓ１０）。検索ステップは、ソフトウェアキーボードの立ち上げ時あるいはＩＰアドレス入力モード選択時に開始する。【選択図】図７
2008165276.tif 000002
【特許請求の範囲】
【請求項１】
Ｗｅｂブラウザ画面のＵＲＬ入力欄に、ローカルネットワークに接続されている機器のＩＰアドレスを入力するＩＰアドレス入力方法であって、
ＵＲＬ入力欄を含むソフトウェアキーボードを表示するステップと、
ポートスキャン等による検索により当該ローカルネットワークに接続されている機器のＩＰアドレスを検索するステップと、
前記検索ステップにより返答のあった機器のＩＰアドレスを一覧表示するステップと、
前記一覧表示されたＩＰアドレスの中から所望のＩＰアドレスが選択されることにより、そのＩＰアドレスを前記ＵＲＬ入力欄に入力するステップと、
を有することを特徴とするＩＰアドレス入力方法。
【請求項２】
前記検索ステップは、前記ソフトウェアキーボードが表示され、前記ＩＰアドレス入力モードに移行した際に開始されることを特徴とする請求項１に記載のＩＰアドレス入力方法。
【請求項３】
前記検索ステップは、前記ソフトウェアキーボードが表示された際に開始されることを特徴とする請求項１に記載のＩＰアドレス入力方法。
【請求項４】
機器のポート番号が変更された場合は、そのポート番号を追加して前記ポートスキャンを行うことを特徴とする請求項１〜３のいずれかに記載のＩＰアドレス入力方法。
【請求項５】
前記ＩＰアドレスの一覧を表示する際、そのウェブサーバに機器名情報が含まれている場合は、ＩＰアドレスと共にその機器名情報を併せて表示することを特徴とする請求項１〜４のいずれかに記載のＩＰアドレス入力方法。
【請求項６】
前記ユーザ操作は、リモコンを利用することを特徴とする請求項１〜５のいずれかに記載のＩＰアドレス入力方法。
【請求項７】
前記ユーザ操作は、当該ローカルネットワークに接続されたテレビジョン装置に搭載されているブラウザ機能により表示されるＷｅｂブラウザ画面に対して行われることを特徴とする請求項１〜６のいずれかに記載のＩＰアドレス入力方法。
【発明の詳細な説明】
【技術分野】
【０００１】
本発明はＷｅｂブラウザ画面におけるＵＲＬ入力欄にＩＰアドレスを入力するＩＰアドレス入力方法に関する。
【背景技術】
【０００２】
Ｗｅｂブラウザを搭載したテレビにおけるＷｅｂブラウザの操作は、通常、テレビのリモコンを用いて行う。コンピューターで用いるキーボードを前提に発展してきたＷｅｂブラウザ技術やそれに対するコンテンツが世の中に多く存在してきたため、Ｗｅｂブラウザをリモコンを用いて操作をすることは、ユーザに直感的ではない操作をさせることがある。特に、文字入力においてリモコンを用いることは、非常にユーザに不便さを与えることとなる。
【０００３】
通常、ＷｅｂブラウザにてＷｅｂコンテンツを閲覧する際、ユーザは、サーバのＦＱＤＮ（Ｆｕｌｌｙ  Ｑｕａｌｉｆｉｅｄ  Ｄｏｍａｉｎ  Ｎａｍｅ）や、それを含んだファイル名、また、ＩＰアドレスなどの入力操作を行う。
【０００４】
特許文献１には、サーバ名やＩＰアドレスを入力するときに、入力モードを変更した場合でも、キーの入力回数を減らし、また入力ミスを軽減することができるデータ入力装置およびデータ入力方法が開示されている。
【特許文献１】特開２００５−１３５３３４号公報
【発明の開示】
【発明が解決しようとする課題】
【０００５】
テレビでのＷｅｂブラウザ操作の文字入力において、ＦＱＤＮなどサーバ名を入力することは、ユーザにとって覚えやすいものが多いため、リモコンを使った文字入力だけが不便さを与えていた。
また、ＩＰアドレスを入力するときには、アクセスするサーバのＩＰアドレスを覚えてなくてはならない。ＩＰアドレスは、ＩＰｖ４を用いた場合、０から２５５までの数字４つの羅列であり、ユーザはなかなか覚えること自体が難しい。よって、文字入力だけではなく、ＩＰアドレスを覚えていなければならないという２重の不便を強いられることとなる。ＩＰｖ６を用いた場合、１から０の数字およびａからｆまでのアルファベットを用いた１６進数で表される文字列３２の羅列であり、誰もが覚えることは難しい。
【０００６】
また、通常、ＩＰアドレスを入力してアクセスするサーバは、ＤＮＳサーバ管理下におかれていないサーバが多い。その環境は、主に家庭内に多く存在し、家庭内ルータ、Ｗｅｂサーバ機能をもったＨＤＤレコーダ、ＰＣなどが考えられる。それらにアクセスする場合には、ＩＰアドレスを入力してサーバにアクセスするしかない。また、これらのＩＰアドレスは、ルータからＤＨＣＰ機能を用いて割り当てられているものであることが通常であるので、動的に変更される場合もある。よって、それらの機器にアクセスするには、機器自体にアクセスしてＩＰアドレスを調べてから、別途Ｗｅｂブラウザからアクセスするなど、非常に不便な方法しか存在しない。
【０００７】
また、不便な方法でＩＰアドレスを入力しても、実際にその機器にてＷｅｂサーバが動作しているとは限らず、無駄な入力になってしまうなどの問題もある。
【課題を解決するための手段】
【０００８】
本発明は、上述した現状に鑑みてなされたものであり、ローカルネットワークに接続された機器に対し、実際にアクセス可能な機器のＩＰアドレスをＷｅｂブラウザ画面におけるＵＲＬ入力欄に容易且つ確実に入力することができるＩＰアドレス入力方法を提供するものであり、次の技術手段を備えていることを特徴としたものである。
【０００９】
第１の技術手段は、Ｗｅｂブラウザ画面のＵＲＬ入力欄に、ローカルネットワークに接続されている機器のＩＰアドレスを入力するＩＰアドレス入力方法であって、ＵＲＬ入力欄を含むソフトウェアキーボードを表示するステップと、ポートスキャン等により当該ローカルネットワークに接続されている機器のＩＰアドレスを検索するステップと、前記検索ステップにより返答のあった機器のＩＰアドレスを一覧表示するステップと、前記一覧表示されたＩＰアドレスの中から所望のＩＰアドレスが選択されることにより、そのＩＰアドレスを前記ＵＲＬ入力欄に入力するステップと、を有することを特徴としたものである。
【００１０】
第２の技術手段は、第１の技術手段において、前記検索ステップは、前記ソフトウェアキーボードが表示され、前記ＩＰアドレス入力モードに移行した際に開始されることを特徴としたものである。
【００１１】
第３の技術手段は、第１の技術手段において、前記検索ステップは、前記ソフトウェアキーボードが表示された際に開始されることを特徴としたものである。
【００１２】
第４の技術手段は、第１〜３のいずれかの技術手段において、機器のポート番号が変更された場合は、そのポート番号を追加して前記ポートスキャンを行うことを特徴としたものである。
【００１３】
第５の技術手段は、第１〜４のいずれかの技術手段において、前記ＩＰアドレスの一覧を表示する際、そのウェブサーバに機器名情報が含まれている場合は、ＩＰアドレスと共にその機器名情報を併せて表示することを特徴としたものである。
【００１４】
第６の技術手段は、第１〜５のいずれかの技術手段において、前記ユーザ操作は、リモコンを利用することを特徴としたものである。
【００１５】
第７の技術手段は、第１〜６のいずれかの技術手段において、前記ユーザ操作は、当該ローカルネットワークに接続されたテレビジョン装置に搭載されているブラウザ機能により表示されるＷｅｂブラウザ画面に対して行われることを特徴としたものである。
【発明の効果】
【００１６】
本発明によれば、数字の羅列や文字からなるＩＰアドレスを一文字づつ入力する必要がなくなり、テレビ用のリモコンで容易にＵＲＬ入力欄にＩＰアドレスを入力することが可能となる。また、本発明の場合、その都度リアルタイムでポートスキャン等の検索を行って返答のあった機器のＩＰアドレスを一覧表示するようにしているので、ユーザは実際にサーバが動作している機器を知ることができ、無駄な入力操作を行わずにすむ。また、従来のように機器自体にアクセスしてＩＰアドレスを調べてから、別途、Ｗｅｂブラウザからアクセスするような不便さも解消される。
【発明を実施するための最良の形態】
【００１７】
以下、本発明によるＩＰアドレス入力方法について、図面を参照しながら説明する。
図１は、本発明におけるＩＰアドレス入力方法が利用される、Ｗｅｂブラウザを搭載したテレビジョン装置を含むネットワーク接続機器がＬＡＮ接続されたシステム構成の一例を示すものであり、Ｗｅｂブラウザを搭載したテレビジョン装置１、ＨＤＤレコーダ４、ＰＣ５およびプリンタ６がハブ２を介してルータ３にＬＡＮ接続されたシステム構成となっており、各機器はＷｅｂサーバ機能を備えている。
【００１８】
このようなシステムにおいて、例えば、Ｗｅｂサーバを備えたＨＤＤレコーダ４に対し、テレビジョン装置１のＷｅｂブラウザ画面からそのＩＰアドレスを入力してアクセスすることにより、録画済みコンテンツの一覧を表示させたり、不要となったコンテンツの削除やホルダへの移動等の編集、あるいは予約録画などをＷｅｂブラウザ画面から行うことができる。
【００１９】
テレビジョン装置１にＷｅｂブラウザ画面を表示させるには、例えば、リモコンに設けられているブラウザ起動用ボタンを押すなどして、テレビジョン装置１に搭載されているＷｅｂブラウザを起動させる。
図２は、Ｗｅｂブラウザを起動した場合のメニュー画面の一例を示したものであり、ＬＡＮ接続されている機器にアクセスするにはメニュー項目の中から「ＵＲＬ」を選択する。
図３は、図２のメニュー画面において「ＵＲＬ」を選択した場合に、図２のメニュー画面と共に表示されるソフトウェアキーボードの一例を示す。
ソフトウェアキーボード１０は、図示のように「英数半角」、「記号半角」および「インターネット」の各入力モードを選択するための入力モード選択欄１１、各入力モードに応じた文字・記号を表示する文字・記号表示欄１２およびＵＲＬ入力欄１３を有している。なお、図３の例は「記号半角」が選択されている場合を表しており、また、ＵＲＬ入力欄１３には先頭に「ｈｔｔｐ：／／」が入力されることを表している。
【００２０】
図４は、入力モードとして「インターネット」モードを選択した場合の表示例を示し、文字・記号表示欄１２には、インターネットを利用する際に入力する文字の一覧と、本発明によるＩＰアドレス入力方法を利用する場合に選択する「ＩＰアドレス」の項目が表示される。
【００２１】
図５は、図４の文字・記号表示欄１２における表示項目「ＩＰアドレス」（ＩＰ  ａｄｄｒｅｓｓ）を選択した場合の表示例を示し、ポートスキャン等の検索ステップにより返答のあった機器のＩＰアドレスの一覧がＩＰアドレス表示欄１４に表示される。図の例はローカルネットワーク（サブネット）内に「ゲートウェイ」（Ｇａｔｅｗａｙ）と「ＤＨＣＰサーバ」（ＤＨＣＰ  ｓｅｒｖｅｒ）の他にアクセス可能な機器が１台存在していること表している。
また、ＵＲＬ入力欄１３には、ＩＰアドレス表示欄１４で選択されている「ゲートウェイ」のＩＰアドレス「１９２．１６８．０．１／」が表示されており、この状態でリモコンの決定キーを押すことにより入力が確定し、ゲートウェイにアクセスすることができる。
【００２２】
図６の例は、検索ステップの結果、サブネット内接続されているアクセス可能な機器としてルータ、ＨＤＤレコーダおよびプリンタが存在していることを表しており、ＵＲＬ入力欄１３には、ＩＰアドレス表示欄１４′で選択されている「ルータ」（Ｒｏｕｔｅｒ）」のアドレス「１９２．１６８．０．１／」が表示されており、この状態でリモコンの決定キーを押すことにより入力が確定し、ルータにアクセスすることができる。
【００２３】
図７は、上述した実施例における処理手順を示すフローチャートであり、テレビジョン装置１におけるＷｅｂブラウザを起動させてから、ＵＲＬ入力欄１３に所望のＩＰアドレスが入力されるまでのフローを示している。
Ｗｅｂブラウザが起動すると、上述したように図３に示すメニュー画面が表示され（ステップＳ１）、ユーザが表示項目の中から「ＵＲＬ」を選択すると（ステップＳ２）、図４に示すソフトウェアキーボード１０が表示される（ステップＳ３）。
【００２４】
表示されたソフトウェアキーボード１０の入力モード選択欄１１から「インターネット」モードを選択することにより（ステップＳ４）、文字・記号表示欄１２には、インターネットを利用する際に入力する文字の一覧と、本発明によるＩＰアドレス入力方法を利用する場合に選択する「ＩＰアドレス」の項目を含むインターネット関連入力項目が表示され（ステップＳ５）、表示項目の中から「ＩＰアドレス」を選択すると（ステップＳ６）、このタイミングでサブネット内でポートスキャン等の検索ステップが開始される（ステップＳ７）。
【００２５】
検索ステップの結果、返答のあった機器のＩＰアドレスの一覧がＩＰアドレス表示欄１４にプルダウンメニューとして表示される（ステップＳ８）。
表示されたＩＰアドレスの一覧に対し、リモコンの上下キーを操作して所望のＩＰアドレスを反転表示させることにより選択し（ステップＳ９）、決定キーを押すことにより選択したＩＰアドレスがＵＲＬ入力欄に入力される（ステップＳ１０）。
【００２６】
上述した実施例は、ソフトウェアキーボードを立ち上げて、ＩＰアドレスを入力するモードに移行したときに検索ステップを開始するようにしており、サブネット内の接続機器が少ない場合に有効である。
図８のフローチャートは、検索ステップのタイミングを、ソフトウェアキーボードを立ち上げた際に開始するようにした（ステップＳ１４参照）実施例を示したものであり、サブネット内の接続機器が多かったりポート数が多かったりしてスキャンに時間を要する可能性がある場合に有効となる。検索ステップを開始するタイミングを変更した点以外は図７と同じである。
【００２７】
なお、上述した検索ステップにおけるポートスキャンのポート番号は、「ｈｔｔｐ」の場合は“８０”が対象となるが、ポート番号が変更されている機器が存在する場合は、ユーザがそのポート番号も追加するようにしてもよいし、すべてのポート番号（０から６５５３５）に対してポートスキャンが行われるような設定を設けてもよい。
また、ネットワーク接続機器によっては、Ｗｅｂサーバに機器名情報が含まれていないものも存在するので、その場合は、テレビジョン装置１に設定されているネットワーク情報などやローカルネットワーク上に流れている情報を用いて、ＩＰアドレス一覧にニックネーム、もしくは  ＮｅｔＢＩＯＳ名を入れることができるようにしてもよい。
【図面の簡単な説明】
【００２８】
【図１】図１は、本発明におけるＩＰアドレス入力方法が利用されるローカルネットワークシステムの一例を示す図である。
【図２】Ｗｅｂブラウザを起動した場合のメニュー画面の一例を示す図である。
【図３】本発明の実施形態におけるソフトウェアキーボードの表示例を示す図である。
【図４】図３のソフトウェアキーボードにおいて「インターネット」モードを選択した際の表示例を示す図である。
【図５】図４において文字・記号表示欄１２における「ＩＰアドレス」（ＩＰ  ａｄｄｒｅｓｓ）を選択した場合の表示例を示す図である。
【図６】図４において文字・記号表示欄１２における「ＩＰアドレス」（ＩＰ  ａｄｄｒｅｓｓ）を選択した場合の他の表示例を示す図である。
【図７】本発明の実施形態における処理手順を示すフローチャートである。
【図８】本発明の他の実施形態における処理手順を示すフローチャートである。
【符号の説明】
【００２９】
１…テレビジョン装置、２…ハブ、３…ルータ、４…ＨＤＤレコーダ、５…ＰＣ，６…プリンタ、１０…ソフトウェアキーボード、１１…入力モード選択欄、１２…文字・記号表示欄、１３…ＵＲＬ入力欄、１４，１４′…ＩＰアドレス表示欄。
【図１】
2008165276.tif 000003
【図２】
2008165276.tif 000004
【図３】
2008165276.tif 000005
【図４】
2008165276.tif 000006
【図５】
2008165276.tif 000007
【図６】
2008165276.tif 000008
【図７】
2008165276.tif 000009
【図８】
2008165276.tif 000010